(57)【特許請求の範囲】
【請求項１】
装置本体と、
記録媒体を収納する記録媒体収納部と、
前記記録媒体収納部から前記記録媒体を取り出す給紙部と、
前記記録媒体に画像を形成する画像形成部と、
前記給紙部が取り出した前記記録媒体を前記画像形成部に向けて搬送する上流側搬送部と、
前記画像の形成された前記記録媒体を排出する排出部と、前記記録媒体の搬送方向を反転させて、前記記録媒体を搬送する反転部とを含み、前記上流側搬送部の下流側に設けられる下流側搬送部と、
前記反転部で反転させた前記記録媒体を前記上流側搬送部へ搬送する反転搬送部と、
前記装置本体に移動可能に支持され、前記上流側搬送部を構成する閉位置と、前記上流側搬送部を開放する開位置との間を移動するカバー部材と、
前記装置本体に移動可能に支持され、前記下流側搬送部を構成する第１位置と、前記下流側搬送部を開放する第２位置との間を移動する可動ガイド部と
を備え、
前記反転搬送部は、
前記可動ガイド部に沿って形成される第１反転路と、
前記第１反転路に連続し、前記カバー部材に沿って形成される第２反転路と
を含み、
前記可動ガイド部は、前記カバー部材に連動して移動し、前記カバー部材が前記閉位置にあるときに、前記第１位置に配置され、前記反転部で反転された前記記録媒体を前記第１反転路から前記第２反転路へ案内し、前記カバー部材が前記開位置にあるときに前記第２位置に配置され、
前記可動ガイド部は、
前記装置本体に前記第１位置と前記第２位置との間で回動可能に支持された可動ガイド板と、
前記装置本体に回動可能に支持され、一端部が前記可動ガイド板と係合し、他端部が前記カバー部材と接離可能なリンク部材と、
前記可動ガイド板を前記第２位置に向けて付勢する付勢部材と
をさらに含み、
前記カバー部材は、前記閉位置において前記リンク部材を押圧すると共に、前記開位置において前記リンク部材から離間し、
前記可動ガイド板は、前記カバー部材が前記閉位置にあるときに、前記リンク部材の押圧により、前記第１位置に位置決めされ、前記カバー部材が前記開位置にあるときに、前記付勢部材の付勢力により、前記第２位置に位置決めされ、
前記リンク部材は、Ｌ字形であり、角部を有し、前記角部において回動自在に軸支されている、画像形成装置。
【請求項２】
前記上流側搬送部を構成する共に、前記カバー部材との間に前記反転搬送部を構成し、前記カバー部材に支持される搬送ユニットをさらに備える、請求項１に記載の画像形成装置。
【請求項３】
前記カバー部材は、第１当接部を含み、
前記装置本体は、逆Ｕ字形に形成されたスリット部を有する支持部材を含み、
前記リンク部材は、
前記可動ガイド板と係合する係合部と、
前記カバー部材が前記閉位置にあるときに前記カバー部材の前記第１当接部と当接する第２当接部と
をさらに有し、
前記リンク部材は、前記リンク部材の前記角部において前記支持部材に回動自在に軸支され、
前記第２当接部は、前記スリット部に対して出入り自在に収容される、請求項１又は請求項２に記載の画像形成装置。
【請求項４】
前記カバー部材は、第１当接部を含み、
前記装置本体は、逆Ｕ字形に形成されたスリット部を有する支持部材を含み、
前記リンク部材は、
前記可動ガイド板と係合する係合部と、
前記カバー部材が前記閉位置にあるときに前記カバー部材の前記第１当接部と当接する第２当接部と
をさらに有し、
前記リンク部材は、前記リンク部材の前記角部において前記支持部材に回動自在に軸支され、
前記第２当接部は、前記カバー部材が前記閉位置にあるときに前記第１当接部と平行である、請求項１から請求項３のいずれか１項に記載の画像形成装置。
【請求項５】
装置本体と、
記録媒体を収納する記録媒体収納部と、
前記記録媒体収納部から前記記録媒体を取り出す給紙部と、
前記記録媒体に画像を形成する画像形成部と、
前記給紙部が取り出した前記記録媒体を前記画像形成部に向けて搬送する上流側搬送部と、
前記画像の形成された前記記録媒体を排出する排出部と、前記記録媒体の搬送方向を反転させて、前記記録媒体を搬送する反転部とを含み、前記上流側搬送部の下流側に設けられる下流側搬送部と、
前記反転部で反転させた前記記録媒体を前記上流側搬送部へ搬送する反転搬送部と、
前記装置本体に移動可能に支持され、前記上流側搬送部を構成する閉位置と、前記上流側搬送部を開放する開位置との間を移動するカバー部材と、
前記装置本体に移動可能に支持され、前記下流側搬送部を構成する第１位置と、前記下流側搬送部を開放する第２位置との間を移動する可動ガイド部と
を備え、
前記反転搬送部は、
前記可動ガイド部に沿って形成される第１反転路と、
前記第１反転路に連続し、前記カバー部材に沿って形成される第２反転路と
を含み、
前記可動ガイド部は、前記カバー部材に連動して移動し、前記カバー部材が前記閉位置にあるときに、前記第１位置に配置され、前記反転部で反転された前記記録媒体を前記第１反転路から前記第２反転路へ案内し、前記カバー部材が前記開位置にあるときに前記第２位置に配置され、
前記可動ガイド部は、
前記装置本体に前記第１位置と前記第２位置との間で回動可能に支持された可動ガイド板と、
前記装置本体に回動可能に支持され、一端部が前記可動ガイド板と係合し、他端部が前記カバー部材と接離可能なリンク部材と、
前記可動ガイド板を前記第２位置に向けて付勢する付勢部材と
をさらに含み、
前記カバー部材は、前記閉位置において前記リンク部材を押圧すると共に、前記開位置において前記リンク部材から離間し、
前記可動ガイド板は、前記カバー部材が前記閉位置にあるときに、前記リンク部材の押圧により、前記第１位置に位置決めされ、前記カバー部材が前記開位置にあるときに、前記付勢部材の付勢力により、前記第２位置に位置決めされ、
前記カバー部材は、第１当接部を含み、
前記可動ガイド板の一端が、前記装置本体に回動可能に支持され、
前記可動ガイド板の他端が、前記付勢部材に付勢され、
前記リンク部材は、
前記可動ガイド板と係合する係合部と、
前記カバー部材が前記閉位置にあるときに前記カバー部材の前記第１当接部と当接する第２当接部と
をさらに有し、
前記係合部には、前記係合部の長手方向に延びる係合凹部が形成され、
前記可動ガイド板は、前記可動ガイド板の前記他端から突出している支軸を有し、
前記支軸は、前記係合凹部に対して長手方向に摺動自在に係合している、画像形成装置。
【発明の詳細な説明】
【技術分野】
【０００１】
本発明は、コピー機のような画像形成装置に関する。
【背景技術】
【０００２】
コピー機等の画像形成装置では、コピー用紙等の記録媒体が内部で詰まる（以下、「ジャム」と称する。）ことがある。ジャムが発生した場合、ユーザーは、表示部に表示されたメッセージを参照して、ジャムが発生した箇所に詰まった記録媒体を取り除く。【０００３】
記録媒体の両面に画像形成可能な画像形成装置において、ジャムの処理を容易にするために、反転搬送部を移動可能にした構造が提案されている。この画像形成装置では、反転搬送部が装置本体に装着される閉位置と、反転搬送部が装置本体の側面から突出する開位置との間を反転搬送部が回動可能になっている（特許文献１参照）。【０００４】
反転搬送部が閉位置にあるときには、画像形成済みの記録媒体を排出する排出部が隠蔽され、反転搬送部が開位置にあるときには、排出部の端部が露出する。排出部でジャムが発生した場合、ユーザーは、反転搬送部を開位置に移動させ、排出部に手を挿入して詰まった記録媒体を取り除く。
【先行技術文献】
【特許文献】
【０００５】
【特許文献１】２００８−１２７１８５号公報
【発明の概要】
【発明が解決しようとする課題】
【０００６】
しかしながら、特許文献１の画像形成装置には、次のような課題がある。すなわち、反転搬送部を開位置に移動させた状態で、排出部に詰まった記録媒体を視認しづらく、さらに詰まった記録媒体に手が届きにくいため、ユーザーがジャム処理を行いにくい場合がある。【０００７】
本発明は上記課題に鑑みて創案されたものであり、その目的は、ユーザーのジャム処理の効率が向上する画像形成装置を提供することにある。
【課題を解決するための手段】
【０００８】
本発明による画像形成装置は、装置本体と、記録媒体収納部と、給紙部と、上流側搬送部と、画像形成部と、下流側搬送部と、反転搬送部と、カバー部材と、可動ガイド部とを備える。下流側搬送部は、排出部と、反転部とを含む。記録媒体収納部は、記録媒体を収納する。給紙部は、前記記録媒体収納部から前記記録媒体を取り出す。画像形成部は、前記記録媒体に画像を形成する。上流側搬送部は、前記給紙部が取り出した前記記録媒体を前記画像形成部に向けて搬送する。排出部は、前記画像の形成された前記記録媒体を排出する。反転部は、前記記録媒体の搬送方向を反転させて、前記記録媒体を搬送する。下流側搬送部は、前記上流側搬送部の下流側に設けられる。反転搬送部は、前記反転部で反転させた前記記録媒体を前記上流側搬送部へ搬送する。カバー部材は、前記装置本体に移動可能に支持され、前記上流側搬送部を構成する閉位置と、前記上流側搬送部を開放する開位置との間を移動する。可動ガイド部は、前記装置本体に移動可能に支持され、前記下流側搬送部を構成する第１位置と、前記下流側搬送部を開放する第２位置との間を移動する。前記反転搬送部は、第１反転路と、第２反転路とを含む。第１反転路は、前記可動ガイド部に沿って形成される。第２反転路は、前記第１反転路に連続し、前記カバー部材に沿って形成される。前記可動ガイド部は、前記カバー部材に連動して移動し、前記カバー部材が前記閉位置にあるときに、前記第１位置に配置され、前記反転部で反転された前記記録媒体を前記第１反転路から前記第２反転路へ案内し、前記カバー部材が前記開位置にあるときに前記第２位置に配置される。
【発明の効果】
【０００９】
本発明によれば、ユーザーのジャム処理の効率が向上する。
【図面の簡単な説明】
【００１０】
【図１】本発明による画像形成装置の実施形態の概略構成図である。
【図２】図１に示される画像形成装置の一側部の縦断面図である。
【図３】図１に示される画像形成装置の一側部を開いた状態を示す縦断面図である。
【図４Ａ】図２に示される可動ガイド板が第１位置にある状態を示す拡大図である。
【図４Ｂ】図２に示される可動ガイド板が第２位置にある状態を示す拡大図である。
【図５】図２に示される排出ガイドとその周辺の斜視図である。
【発明を実施するための形態】
【００１１】
以下、図面を参照して本発明による実施形態を説明する。図１は本発明による画像形成装置１の実施形態の概略構成図である。図２は画像形成装置１の一側部の縦断面図である。図３は画像形成装置１の一側部を開いた状態を示す縦断面図である。
【００１２】
画像形成装置１は、コピー、ファクス、プリンター、スキャナー等の機能を有する複合機であって、図１に示すように、装置本体１０と、記録媒体収納部としての給紙カセット２０と、給紙部としての給紙ローラー対３０と、画像形成部４０と、上流側搬送部６０と、下流側搬送部７０と、カバー部材８０と、可動ガイド部９０とを備える。
【００１３】
装置本体１０の上部には積載部１１が設けられている。積載部１１には、排出部５０から排出される画像形成済みの記録媒体（例えば、コピー用紙）が積層された状態でストックされる。
【００１４】
給紙カセット２０は装置本体１０に着脱可能である。給紙カセット２０には、記録媒体が積層された状態で収納される。給紙ローラー対３０は、給紙カセット２０から記録媒体を取り出す。
【００１５】
上流側搬送部６０は、給紙ローラー対３０が取り出した記録媒体を画像形成部４０に向けて搬送する。
【００１６】
画像形成部４０は、記録媒体に画像を形成する。画像形成部４０の詳細については後述する。
【００１７】
下流側搬送部７０は、上流側搬送部６０の下流側に設けられ、画像の形成された記録媒体を積載部１１に向けて搬送する。
【００１８】
下流側搬送部７０は排出部５０を含む。排出部５０は、積載部１１の側面の上部に設けられている。排出部５０は、画像の形成された記録媒体を積載部１１に排出する。
【００１９】
カバー部材８０は、装置本体１０に移動可能に支持され、閉位置（図２参照）と開位置（図３参照）との間を移動する。カバー部材８０が閉位置にあるときには上流側搬送部６０が構成され、カバー部材８０が開位置にあるときには上流側搬送部６０が開放される。カバー部材８０は当接部８０ａ（第１当接部）を有する。当接部８０ａはカバー部材８０の上端部に形成される。当接部８０ａの詳細については後述する。
【００２０】
可動ガイド部９０は、可動ガイド板９１を含む。可動ガイド板９１は、装置本体１０に移動可能に支持され、第１位置（図２参照）と第２位置（図３参照）との間を移動する。可動ガイド板９１が第１位置にあるときには下流側搬送部７０が構成され、可動ガイド板９１が第２位置にあるときには下流側搬送部７０が開放される。
【００２１】
可動ガイド板９１は、カバー部材８０に連動して移動する。可動ガイド板９１は、カバー部材８０が閉位置にあるときに第１位置に配置され、カバー部材８０が開位置にあるときに第２位置に配置される。
【００２２】
画像形成部４０は、レーザースキャンニングユニット４１と、画像形成ユニット４２Ａ〜４２Ｄと、中間転写ベルトユニット４３と、トナーカートリッジ４４Ａ〜４４Ｄと、２次転写ローラー４５と、定着部４６とを含む。
【００２３】
レーザースキャンニングユニット４１は、画像データに対応するレーザー光を生成する光ビーム生成器と、光ビーム生成器から照射される光ビームを反射するポリゴンミラーと、ポリゴンミラーにより反射された光ビームを感光体ドラム４２１（後述）の外周面上に結像させるｆθレンズ等を含む。
【００２４】
画像形成ユニット４２Ａはブラックの画像形成を行い、画像形成ユニット４２Ｂはイエローの画像形成を行い、画像形成ユニット４２Ｃはシアンの画像形成を行い、画像形成ユニット４２Ｄはマゼンタの画像形成を行う。
【００２５】
画像形成ユニット４２Ａ〜４２Ｄの各々は、感光体ドラム４２１と、帯電器４２２と、現像器４２３と、１次転写ローラー４２４と、クリーナー４２５と、除電器４２６とを含む。
【００２６】
感光体ドラム４２１の外周面は帯電器４２２によって帯電される。帯電状態の感光体ドラム４２１の外周面に、レーザースキャンニングユニット４１によって、画像データに対応する静電潜像が形成される。
【００２７】
現像器４２３は感光体ドラム４２１の外周面にトナーを供給し、感光体ドラム４２１の外周面上の静電潜像を現像してトナー像にする。
【００２８】
１次転写ローラー４２４は、感光体ドラム４２１の外周面上のトナー像を中間転写ベルト４３１（後述）上に転写する。
【００２９】
クリーナー４２５は、トナー像が中間転写ベルト４３１上に転写された後、感光体ドラム４２１の外周面上に残存するトナーを除去する。
【００３０】
除電器４２６は、トナー像が中間転写ベルト４３１上に転写された後、感光体ドラム４２１の外周面上に残存する電荷を除去する。
【００３１】
中間転写ベルトユニット４３は、中間転写ベルト４３１と、駆動ローラー４３２と、テンションローラー４３３と、クリーニングユニット４３４とを備える。中間転写ベルト４３１は無端状で、駆動ローラー４３２とテンションローラー４３３との間に張架されている。クリーニングユニット４３４は、中間転写ベルト４３１上のトナー像が記録媒体に転写された後、中間転写ベルト４３１をクリーニングする。
【００３２】
トナーカートリッジ４４Ａは、画像形成ユニット４２Ａの現像器４２３にブラックのトナーを供給する。トナーカートリッジ４４Ｂは、画像形成ユニット４２Ｂの現像器４２３にイエローのトナーを供給する。トナーカートリッジ４４Ｃは、画像形成ユニット４２Ｃの現像器４２３にシアンのトナーを供給する。トナーカートリッジ４４Ｄは、画像形成ユニット４２Ｄの現像器４２３にマゼンタのトナーを供給する。
【００３３】
２次転写ローラー４５は、駆動ローラー４３２に対向して配置され、中間転写ベルト４３１との間に記録媒体を挟み込んで中間転写ベルト４３１上のトナー像を記録媒体に転写する。
【００３４】
定着部４６は一対のローラーを含んでおり、当該一対のローラー間で記録媒体を加熱・加圧して、記録媒体に転写されたトナー像を記録媒体に定着させる。
【００３５】
上流側搬送部６０は、レジストローラー対６１を含む。レジストローラー対６１は、給紙ローラー対３０から供給される記録媒体の斜行補正を行う。そして、レジストローラー対６１は、記録媒体を一時待機させた後、２次転写ローラー４５によるトナー像の記録媒体への転写タイミングに合わせて記録媒体を２次転写ローラー４５に送出する。
【００３６】
下流側搬送部７０は、搬送ローラー対７１と、分岐ガイド７２と、反転部としての反転ローラー７３とをさらに含む。以下の説明において、記録媒体の搬送路のうち、給紙ローラー対３０からレジストローラー対６１、２次転写ローラー４５、及び定着部４６を経て排出部５０又は反転ローラー７３に至る搬送路（一点鎖線で示す）を主搬送路Ｐ１と称し、反転ローラー７３から可動ガイド部９０及びカバー部材８０を経てレジストローラー対６１に至る搬送路（二点鎖線で示す）を反転搬送路Ｐ２と称する。
【００３７】
反転搬送路Ｐ２は、反転路Ｐｒ１（第１反転路）と反転路Ｐｒ２（第２反転路）とを含む。反転路Ｐｒ１は、可動ガイド板９１に沿って形成される。反転路Ｐｒ２は、反転路Ｐｒ１に連続し、カバー部材８０の内壁面に沿って形成される。
【００３８】
搬送ローラー対７１は、記録媒体を主搬送路Ｐ１に沿って搬送する。分岐ガイド７２は、アクチュエーターにより揺動自在で、主搬送路Ｐ１を排出路Ｐ１ａと反転路Ｐ１ｂとに分岐させる。排出路Ｐ１ａは記録媒体を排出部５０に導く。反転路Ｐ１ｂは、片面に画像が形成された記録媒体を反転ローラー７３に案内する。
【００３９】
反転ローラー７３は、片面に画像が形成された記録媒体の搬送方向を反転させて、当該記録媒体を反転搬送路Ｐ２に沿って搬送する。反転搬送路Ｐ２は、反転ローラー７３で反転させた記録媒体を上流側搬送部６０へ搬送する。反転搬送路Ｐ２は、本発明の反転搬送部として機能する。
【００４０】
カバー部材８０は、下端部が装置本体１０に回動可能に支持され、垂直面内で回動する。カバー部材８０は、複数のガイドローラー８１を含む。複数のガイドローラー８１は、反転搬送路Ｐ２に沿って設けられている。
【００４１】
可動ガイド板９１は、一端が装置本体１０に回動可能に支持され、垂直面内で回動する。可動ガイド板９１は、反転ローラー７３と反転路Ｐｒ２との間に配置される。可動ガイド板９１は、反転ローラー７３で反転された記録媒体を反転路Ｐｒ１から反転路Ｐｒ２へ案内する。
【００４２】
図２に示すように、画像形成装置１は、搬送ユニット１００をさらに備える。搬送ユニット１００は、上流側搬送部６０の一部を構成する共に、カバー部材８０との間に反転搬送路Ｐ２を構成する。搬送ユニット１００は、カバー部材８０に支持されている。カバー部材８０を開位置に回動させると、搬送ユニット１００がカバー部材８０と共に移動して装置本体１０から突出する。
【００４３】
搬送ユニット１００は、２次転写ローラー４５と、レジストローラー対６１の一部と、複数の案内ローラー１０１とを含む。複数の案内ローラー１０１は、反転搬送路Ｐ２に沿って設けられている。
【００４４】
次に、図４及び図５を参照して、可動ガイド部９０とカバー部材８０との連動構造について説明する。図４は図２の一部拡大図である。図４Ａは、可動ガイド板９１が第１位置にある状態を示し、図４Ｂは、可動ガイド板９１が第２位置にある状態を示す。図５は可動ガイド部９０とその周辺の斜視図である。図５では、図面の簡略化のため、カバー部材８０を省略しているが、可動ガイド板９１が第１位置にある状態が示される。
【００４５】
図４Ａ及び図４Ｂに示すように、可動ガイド板９１は、装置本体１０に第１位置と第２位置との間で回動可能に支持される。具体的には、可動ガイド板９１の一端９１ａが、装置本体１０に回動可能に支持されている。その結果、可動ガイド板９１は、第１位置から第２位置への回動と、第２位置から第１位置への回動とが可能である。
【００４６】
可動ガイド部９０は、リンク部材９２と、付勢部材としてのバネ９３とをさらに含む。
【００４７】
リンク部材９２は、装置本体１０に回動可能に支持される。リンク部材９２の一端部は可動ガイド板９１と係合し、リンク部材９２の他端部はカバー部材８０と接離可能である。
【００４８】
バネ９３は、装置本体１０と可動ガイド板９１との間に張架され、可動ガイド板９１を第２位置に向けて付勢する。具体的には、バネ９３は、バネ９３が縮む方向Ｄに向けて可動ガイド板９１の他端９１ｂを付勢する。図４Ｂの状態において、バネ９３は、排出路Ｐ１ａ及び反転路Ｐ１ｂが開放されるように可動ガイド板９１を付勢している。
【００４９】
カバー部材８０は、閉位置においてリンク部材９２を押圧すると共に、開位置においてリンク部材９２から離間する。
【００５０】
リンク部材９２は、カバー部材８０が閉位置にあるときに可動ガイド板９１を第１位置に位置決めすると共に、カバー部材８０が開位置にあるときに可動ガイド板９１の第２位置への回動を許容する。換言すれば、可動ガイド板９１は、カバー部材８０が閉位置にあるときに、リンク部材９２の押圧により、第１位置に位置決めされる。また、可動ガイド板９１は、カバー部材８０が開位置にあるときに、バネ９３の付勢力により、第２位置に位置決めされる。
【００５１】
図５に示すように、装置本体１０は支持部材１２を備える。支持部材１２は、逆Ｕ字形に形成されたスリット部１２ａを有する。
【００５２】
リンク部材９２はＬ字形である。リンク部材９２は角部９２ｃを有する。リンク部材９２は、角部９２ｃにおいて支持部材１２に回動自在に軸支されている。
【００５３】
リンク部材９２は、係合部９２ａと当接部９２ｂ（第２当接部）とをさらに有する。係合部９２ａの一方の側面には係合凹部９２ｄが形成されている。係合凹部９２ｄは係合部９２ａの長手方向に延びている。当接部９２ｂは、スリット部１２ａに対して出入り自在に収容されている。
【００５４】
可動ガイド板９１は支軸９１ｃを有する。支軸９１ｃは可動ガイド板９１の他端９１ｂの一方の側面から水平に突出している。支軸９１ｃは係合凹部９２ｄに対して長手方向に摺動自在に係合している。
【００５５】
カバー部材８０が閉位置にある状態で、カバー部材８０の当接部８０ａはリンク部材９２の当接部９２ｂに当接する。リンク部材９２には、バネ９３による付勢力が支軸９１ｃを中心に作用し、リンク部材９２はスリット部１２ａから突出する方向に付勢されている。当接部８０ａが当接部９２ｂに当接することによって、リンク部材９２が図５に示す状態（当接部９２ｂがスリット部１２ａに収容されている状態）に維持される。その結果、可動ガイド板９１が第１位置に維持される。また、当接部９２ｂは、カバー部材８０が閉位置にあるときに当接部８０ａと略平行である。従って、可動ガイド板９１の第１位置への安定した位置決めが可能である。
【００５６】
カバー部材８０を開位置に移動させると、カバー部材８０によって隠蔽されていた可動ガイド板９１、リンク部材９２、バネ９３、及び支持部材１２が露出する。また、カバー部材８０がリンク部材９２の当接部９２ｂから離間するため、リンク部材９２が回動する。その結果、可動ガイド板９１が第２位置に移動し、反転路Ｐ１ｂ及び排出路Ｐ１ａが開放される。リンク部材９２はＬ字形であり、角部９２ｃにおいて回動自在に軸支されているため、コンパクトなサイズで可動ガイド板９１の必要回動角度（略４０°）を確保することができる。
【００５７】
次に、図２〜図４を参照して、画像形成装置１におけるジャム処理方法を説明する。反転路Ｐ１ｂ又は排出路Ｐ１ａでジャムが発生した場合には、ユーザーは、カバー部材８０を図２に示す閉位置から図３に示す開位置に移動させる。その結果、可動ガイド板９１が図４Ａに示す第１位置から図４Ｂに示す第２位置に移動して反転路Ｐ１ｂ及び排出路Ｐ１ａが開放される。ユーザーは、画像形成装置１の外側から反転路Ｐ１ｂ又は排出路Ｐ１ａに手を挿入して詰まった記録媒体を取り除く。
【００５８】
ジャム処理が終了すると、ユーザーは、カバー部材８０を図３に示す開位置から図２に示す閉位置に回動させる。その結果、可動ガイド板９１が図４Ｂに示す第２位置から図４Ａに示す第１位置に回動して排出路Ｐ１ａ及び反転路Ｐ１ｂが閉じられる。
【００５９】
画像形成装置１では、カバー部材８０を開くと可動ガイド部９０が連動して下流側搬送部７０が開放されるため、可動ガイド部９０を備えていない画像形成装置と比べて、ユーザーがジャム処理を効率よく行うことができる。また、画像形成装置１のジャム処理構造は、可動ガイド板９１、リンク部材９２、及びバネ９３によって構成されるため、定着部４６及び搬送ユニット１００については、既存の画像形成装置と共通にすることができる。したがって、定着部４６と搬送ユニット１００を新規に設計する必要がなく、金型費を削減することができる。
【００６０】
また、図２に示すように、画像形成装置１では、排出路Ｐ１ａが上方に延びるように形成されているため、排出路Ｐ１ａが水平に延びている場合と比べると、積載部１１（図１参照）の底面から排出部５０までの距離を大きくすることができ、積載部１１の記録媒体のストック量を大きくすることができる。その結果、画像形成装置１において、記録媒体の処理速度を高くしても、画像形成済みの記録媒体が積載部１１から溢れることを抑制することができる。したがって、画像形成装置１における記録媒体の高速処理化を図ることができる。
【００６１】
以上、本発明の具体的な実施形態を説明したが、本発明は本実施形態に限定されるものではなく、本発明の要旨を逸脱しない範囲で本実施形態に種々の改変を施すことができる。
【００６２】
例えば、本実施形態では、排出路が反転搬送部から斜め上方に延びるように形成された場合について説明したが、本発明では、排出路が反転搬送部から延びる方向を問わない。排出路が反転搬送部から斜め上方以外の方向（例えば、反転搬送部から水平方向）に延びる場合についても本発明を適用可能である。
【００６３】
また、本実施形態では、記録媒体の両面に画像形成を行う画像形成装置、すなわち反転搬送部を有する画像形成装置に本発明を適用した場合について説明したが、記録媒体の片面のみに画像形成を行う画像形成装置についても本発明を適用可能である。
【００６４】
また、本実施形態では、電子写真方式の画像形成装置に本発明を適用した場合について説明したが、電子写真方式以外の画像形成装置（例えば、インクジェット方式の画像形成装置）についても本発明を適用可能である。
【００６５】
その他にも、本発明の要旨を逸脱しない範囲で本実施形態に種々の改変を施すことができる。
【図１】
0006055560.tif 000002
【図２】
0006055560.tif 000003
【図３】
0006055560.tif 000004
【図４Ａ】
0006055560.tif 000005
【図４Ｂ】
0006055560.tif 000006
【図５】
0006055560.tif 000007